(57)【要約】      （修正有）【解決手段】暗証番号を入力するキーボード、またはキー状画像を表示しその画面から暗証番号が入力できる機能を有するタッチパネル装置において、０から９の数字キーおよび数字キー状画像のおのおのに複数の日本語、ないしは英語、ないしは各国文字を、数字と文字との対応関係が判別できるように配置または記載または刻印または表示することを特徴とする現金自動預入払出機を使えば事故や犯罪の防止が可能となる。【効果】覚えやすい語句を選ぶなら簡単に暗証番号の利用に応用でき、長い語句や文でも覚えやすいものを選べば、現行の４桁以上の長い暗証番号を利用することも可能になる。又、例えば、覗き見や事故等で一部の暗証番号が第３者に漏れても、その番号から、変換につかった語句の全体を類推することは極めて困難である。したがって、漏洩に強い暗証番号の利用を促す効果も持つ。【選択図】図１
0003117437.tif 000002
【実用新案登録請求の範囲】
【請求項１】
暗証番号を入力するキーボード、またはキー状画像を表示しその画面から暗証番号が入力できる機能を有するタッチパネル装置において、０から９の数字キーおよび数字キー状画像のおのおのに複数の日本語、ないしは英語、ないしは各国文字を、数字と文字との対応関係が判別できるように配置または記載または刻印または表示することを特徴とする現金自動預入払出機。
【請求項２】
請求項１のキーボード部ないしはキー状画像を表示するタッチパネル部を切り離した、クレジットカードの認証装置、ロッカー、ドア、金庫等のロックキー、セキュリティのためのパソコンキーボードのテンキー。
【考案の詳細な説明】
【技術分野】
【０００１】本考案は、銀行取引において用いられる現金自動預入払出機に関するものである。
【背景技術】
【０００２】従来、銀行ないしは郵便局において用いられる現金自動預入払出機では、銀行などの管理者が発行したキャッシュカードに記録されている口座番号等と、管理者が発行するか、または利用者が任意に作成し管理者へ申告する暗証番号によって個人認証が行われている。
【考案の明示】
【考案が解決しようとする課題】
【０００３】しかしながら、自己申告においては、覚えやすさから自分の生年月日や電話番号などの第３者が類推可能な暗証番号を使用している場合が多い。昨今、遺失や盗難などによって銀行自動支払いカードや通帳、身分証明書などが第３者に渡り、その生年月日や電話番号などから推定した暗証番号によって預金が現金自動預入払出機から引き落とされる事故や犯罪が多発している。
【０００４】その防止のために、個人情報と関連のない数字で暗証番号を作成することが求められているが、関連性がないと失念してしまう可能性も高い。
【０００５】また、高齢になればなるほど暗証番号を覚えるのは困難になる。
【課題を解決するための手段】
【０００６】これらの事故や犯罪を防止するには、暗証番号を入力するキーボード、またはキー状画像を表示しその画面から暗証番号が入力できる機能を有するタッチパネル装置において、０から９の数字キーおよび数字キー状画像のおのおのに複数の日本語、ないしは英語、ないしは各国文字を、数字と文字との対応関係が判別できるように配置または記載または刻印または表示することを特徴とする現金自動預入払出機を使えば可能となる。
【実施例】
【０００７】実施例を、図面を用いて説明すれば、図１に示すような、従来の現金自動預入払出機で暗証番号入力に用いられているタッチパネルに、通常テンキーと言われるようなキー様のグラフィックを作り、その中に数字のみならず日本語の五十音順の各行の複数のひらがなを表示させ、その画面から暗証番号を入力させるタッチパネルを有する現金自動預入払出機を作製した。【０００８】暗証番号は、まず、図２に示す対応表を使って作成し、現金自動預入払出機に登録した。すなわち、例えば、覚えやすい語句として「さくらがさいた」を選択し、図２の表のひらがな列にそれらの文字を対応付け、それと同行にある数字に置き換えると「３２９２３１４」が得られる。これを暗証番号として予め現金自動預入払出機に登録した。ただし、ここでは濁音「が」は、濁点「゛」を除いた「か」で対応させた。このように濁音や「ぱぴぷぺぽ」の半濁音文字は、濁点、半濁点を除いて対応させるルールとした。【０００９】次に、現金自動預入払出機に暗証番号を入力するときは、図１のキーに表示されたひらがなに着目して「さくらがさいた」とキーを押せば、それは数字列「３２９２３１４」を押したことと同じ意味であり、暗証番号「３２９２３１４」を入力したことに他ならない。【００１０】この例では暗証番号の作成に図２の対応表を用いたが、作成に図１の自動現金支払機のパネルを使っても問題はない。【００１１】また実施例では、図１のキーのひらがなの部分に、図３の数字とアルファベットの関係になるようにアルファベットを追加記載したキー状画像もつくり、英語での暗証番号作成も試みた。当然のごとく、英単語ないしは英文に対応付けた暗証番号が作れ、現金自動預入払出機に利用することができた。したがって、明確な数字と文字との対応ルールを作っておけば、世界中のどのような言葉でも使えることは明らかである。【００１２】また、ひらがなの場合、各キーには例えば、「１」のところの「あいうえお」は、単に「あ」のように五十音順の各行の冒頭の文字のみでも十分に暗証番号の入力が行えることも確認した。
【考案の効果】
【００１３】人間が簡単に記憶できるのはせいぜい４〜５桁の数字だと言われている。しかし、反面、語呂合わせでの数字の覚え方に代表されるように、語句の記憶はかなりよいこともよく知られるところである。
【００１４】これはインターネットシステムにＩＰアドレスとドメイン名の相互変換を受け持つＤＮＳサーバが必須のことからも自明である。
【００１５】しかも、現行の現金自動預入払出機で多用されている４〜５桁の数字では、やみくもに数字の組み合わせを作ればそのうち暗証番号と一致する数字を得ることも可能である。他方、その桁を増やせば一致する確率は当然小さくなるが、その数字は覚えづらくなる。このように数字のみを単に覚え込ませることには限界があり、困難も大きくなっていく。
【００１６】それに対し、本考案の方法によれば、覚えやすい語句を選ぶなら簡単に暗証番号の利用に応用できることは明らかであり、その効果は疑いのないものである。しかも、長い語句や文でも覚えやすいものを選べば、現行の４桁以上の長い暗証番号を利用することも可能になる。
【００１７】加え、本考案のように１つの数字に複数の文字が対応していると、例えば、覗き見や事故等で一部の暗証番号が第３者に漏れても、その番号から、変換につかった語句の全体を類推することは極めて困難である。したがって本考案はより漏洩に強い暗証番号の利用を促す効果も持つ。
【産業上の利用可能性】
【００１８】以上述べたように、本考案は、暗証番号の作成、管理、運用において、従来にない効果を持つものであることは明らかである。しかも、このような暗証番号方式を利用するに当たって、現在主流のタッチパネル型現金自動預入払出機では、プログラム上のキー画像の表示部分を変えるだけでよく、利用者の認証や現金支払コントロール部などの自動預入払出機の主要なシステムにはなんら手を加える必要はない。したがって、銀行、郵便局などの現金を扱う産業での利用は容易に行えると確信する。【００１９】さらに、本考案のキーボード部ないしはキー状画像を表示するタッチパネル部を切り離し、例えば、クレジットカードの認証装置、ロッカー、ドア、金庫等のロックキー、そしてセキュリティのためのパソコンキーボードのテンキーなどへ応用も考えられ、この方面での利用の可能性も大きいものと言える。
【図面の簡単な説明】
【００２０】
【図１】タッチパネル型現金自動預入払出機の暗証番号入力画面
【図２】数字とひらがなの対応表
【図３】数字とアルファベットの対応表
【図１】
0003117437.tif 000003
【図２】
0003117437.tif 000004
【図３】
0003117437.tif 000005